(57)【要約】【課題】アーク放電前のフレームからアーク放電直後のフレームまでの最適フレームに基づくアーク標定により、アーク検出の信頼性を向上させたアーク監視システムを得る。【解決手段】電気設備で発生するアーク放電の発生場所を標定するアーク監視システムであって、電気設備の複数箇所に配置された複数台の監視カメラ１、５と、各監視カメラ１、５からの画像を個別に処理する画像処理装置２と、画像処理装置２を制御する制御論理部３と、表示部および操作部を有するとともに制御論理部３に接続された操作器４とを備えている。画像処理装置２および制御論理部３は、アーク放電の発生時に電気設備から生成される制御信号１０に応答して、監視カメラ１、５からの各画像の変化を抽出し、アーク放電の発生場所を標定する。【選択図】図１
2005102392.tif 000002
【特許請求の範囲】
【請求項１】
電気設備で発生するアーク放電の発生場所を標定するアーク監視システムであって、
前記電気設備の複数箇所に配置された複数台の監視カメラと、
前記各監視カメラからの画像を個別に処理する画像処理装置と、
前記画像処理装置を制御する制御論理部と、
表示部および操作部を有するとともに前記制御論理部に接続された操作器とを備え、
前記画像処理装置および前記制御論理部は、前記アーク放電の発生時に前記電気設備から生成される制御信号に応答して、前記監視カメラからの各画像の変化を抽出し、前記アーク放電の発生場所を標定することを特徴とするアーク監視システム。
【請求項２】
前記画像処理装置および前記制御論理部は、前記アーク放電を認識して抽出する際に、前記アーク放電の発生前から前記アーク放電の消滅後にかけて、複数フレームの画像を連続的に処理し、連続画像でのアーク放電の大きさおよび重心位置を求め、前記大きさとおよび前記重心位置の推移を観測することにより、前記アーク放電の発生場所を標定することを特徴とする請求項１に記載のアーク監視システム。
【請求項３】
前記監視カメラは、前記電気設備内の全ての位置を２台以上の監視カメラによって撮影するように配置され、
前記画像処理装置および前記制御論理部は、前記アーク放電の発生時に、前記２台以上の監視カメラの画像により標定された位置を組合せて、三角測量により前記発生場所を演算することを特徴とする請求項１または請求項２に記載のアーク監視システム。
【請求項４】
前記監視カメラは、可視光線を除去した近赤外線を撮影する近赤外線カメラにより構成されたことを特徴とする請求項１から請求項３までのいずれか１項に記載のアーク監視システム。
【請求項５】
前記画像処理装置および前記制御論理部は、前記アーク放電の発生直後に、前記発生場所の近傍に広がるアークの残熱エネルギーの変化を観察することを特徴とする請求項１から請求項４までのいずれか１項に記載のアーク監視システム。
【請求項６】
前記画像処理装置に接続された画像切替装置と、
前記画像切替装置に接続された画像記録装置およびモニタとを備え、
前記画像処理装置および前記制御論理部により標定された前記アーク放電の発生場所は、平面図として前記モニタおよび前記操作器に表示されるとともに、前記画像記録装置に記録されることを特徴とする請求項１から請求項５までのいずれか１項に記載のアーク監視システム。
【請求項７】
前記監視カメラは、旋回カメラにより構成され、前記アーク放電の発生場所が標定された時点で前記発生場所に振り向けられ、前記アーク放電の発生直後の画像を取り込むことを特徴とする請求項１から請求項６までのいずれか１項に記載のアーク監視システム。
【請求項８】
前記電気設備は、変電所であることを特徴とする請求項１から請求項７までのいずれか１項に記載のアーク監視システム。
【発明の詳細な説明】
【技術分野】
【０００１】
この発明は、変電所構内などの各種電気設備における活線同士の短絡事故または活線と大地との間の地絡事故（いわゆる「アーク放電」）をカメラで検出して、電気設備内での故障点（アーク放電の発生場所）を特定（以下、「標定」という）するアーク監視システムに関し、特に、アーク放電発生場所を複数台のカメラで撮像し、画像処理装置により標定することにより、故障系統を正確に標定表示することのできるアーク監視システムに関するものである。
【背景技術】
【０００２】
従来のアーク監視システムは、一般のＣＣＴＶカメラを用いてアーク発生時のアーク光を検出し、１画像の画面に基づいて故障点標定位置のブロック場所を標定するようになっている（たとえば、特許文献１参照）。
しかしながら、アーク電流による一瞬の発光に対するレンズの絞り値を最適に反応させる（絞りを閉める）ことができないので、大概の場合、撮影されたアーク放電画像は、白く飽和した画像となってしまう。
【０００３】
【特許文献１】特開平１１−９８６２８号公報
【発明の開示】
【発明が解決しようとする課題】
【０００４】
従来のアーク監視システムでは、一般のＣＣＴＶカメラでアーク放電中の画像の撮像を試みているので、一瞬のうちに発生して消失するアーク放電を画像処理に適した状態で撮影することができないという課題があった。
また、撮影対象となるアーク放電箇所は、周囲環境にある障害物や、様々な環境変化（霧、雨または雪）などによって遮られることが多いので、アーク放電箇所がカメラから隠されてしまい、その結果、標定精度が劣化させられる場合があるという問題点があった。
さらに、碍子や地面などにおけるアーク光の反射により、アーク発生場所を誤検出するおそれがあるという課題があった。
【０００５】
この発明は上記のような問題点を解決するためになされたもので、アーク放電時からアーク放電直後までの複数（たとえば、３０フレーム）の画像を処理することにより、最適フレームに基づくアーク標定を可能とし、アーク放電電流の変化や自然環境変化（雨、雪、霧など）によらずアーク光の検出精度を向上させ、高い信頼性でアーク放電を検出することのできるアーク監視システムを得ることを目的とする。
【０００６】
また、可視光を除去した複数台の近赤外線監視カメラを用いて、アーク放電後の残熱を評価することにより、広範囲なアーク電流に対応して監視することができ、アークの広がりによる死角改善を実現するとともに、碍子や地面での反射を低減したアーク監視システムを得ることを目的とする。
また、複数台のカメラを電気設備内に直交する方向に配置し、各カメラ画像に基づく標定結果から、三角測量で平面図上に標定し直すことにより、標定精度を改善させたアーク監視システムを得ることを目的とする。
さらに、アーク放電の発生場所を特定してライン切替え状態により故障点標定区間を明確に行い、事故原因の究明と故障復帰を迅速に行うことを目的とする。
【課題を解決するための手段】
【０００７】
この発明に係るアーク監視システムは、電気設備で発生するアーク放電の発生場所を標定するアーク監視システムであって、電気設備の複数箇所に配置された複数台の監視カメラと、各監視カメラからの画像を個別に処理する画像処理装置と、画像処理装置を制御する制御論理部と、表示部および操作部を有するとともに制御論理部に接続された操作器とを備え、画像処理装置および制御論理部は、アーク放電の発生時に電気設備から生成される制御信号に応答して、監視カメラからの各画像の変化を抽出し、アーク放電の発生場所を標定するものである。
【発明の効果】
【０００８】
この発明によれば、アーク放電前のフレームからアーク放電直後のフレームまでの最適フレームに基づくアーク標定により、アーク検出の信頼性を向上させることができる。
【発明を実施するための最良の形態】
【０００９】
実施の形態１．
以下、図面を参照しながら、この発明の実施の形態１について詳細に説明する。
図１はこの発明の実施の形態１によるアーク監視システム系統を示すブロック構成図である。
図１において、複数台のアーク監視カメラ１は、電気設備内のアーク放電発生箇所を撮像するように並設されており、それぞれ、可視光線カットフィルタ付の近赤外線アーク監視カメラにより構成されている。
【００１０】
複数の画像処理装置２は、各アーク監視カメラ１に対応して並設されており、各アーク監視カメラ１で撮像されたカメラ画像に基づいて、アーク放電の重心を２次元（Ｘ−Ｙ）座標で出力する。
制御論理部３は、各画像処理装置２により求められた複数のアーク重心座標を取り込み、任意のカメラの組合せより三角測量演算を行い、平面図上における座標系でアーク放電箇所を標定する。
ＰＣ（パソコン）操作器４は、外部機器として制御論理部３に接続されるとともに、表示部および操作部（後述する）を有し、図１のシステムを操作する。
【００１１】
複数台の機器監視カメラ５は、電気設備内の各種機器を撮像するように並設されており、アーク放電事故が発生した直後のアーク発生場所の監視を行う。
画像切替装置６は、ＰＣ操作器４が操作されることにより、各アーク監視カメラ１の画像と、各画像処理装置２による処理画像と、各機器監視カメラ５の画像とを切り替えて出力する。
画像切替装置６の出力端子側には、ＶＴＲ７、モニタ８および４画面ユニット９が接続されている。
【００１２】
ＶＴＲ７は、画像切替装置６に双方向接続されており、画像切替装置６により切替出力された画像を記録する。モニタ８は、画像切替装置６により切替出力された監視用画像を表示する。
４画面ユニット９は、画像切替装置６に双方向接続されており、ＰＣ操作器４の操作により、画像切替装置６で選択された任意のカメラを４分割してモニタ８に表示させる。
【００１３】
ブスプロ信号１０は、アーク放電発生時に電気設備（図示せず）から発せられる制御信号としての警報信号であり、制御論理部３に入力される。
各画像処理装置２から出力される２次元座標は、各アーク監視カメラ１の画像をモニタ８に出力した場合に、たとえば、左上隅を原点とした画素座標系で求められる。
【００１４】
図２はこの発明の実施の形態１が適用される変電所でのカメラ配置を平面的に示す説明図である。なお、ここでは、変電所を例にとって説明するが、変電所に限らず、他の電気設備に対しても適用可能なことは言うまでもない。
図２において、アーク監視カメラ１は、たとえば、１４台のカメラＡ〜Ｎからなり、変電所２１内の周辺部に沿って配置されている。これらのうち、４台のカメラＡ〜Ｄは図中の右方向に配列され、３台のカメラＥ〜Ｆは図中の上方向に配列され、４台のカメラＨ〜Ｋは図中の左方向に配列され、３台のカメラＬ〜Ｎは図中の下方向に配列されている。
【００１５】
各アーク監視カメラ１のうち、実際にアーク放電を検出することのできたカメラＢ、Ｃ、Ｄ、Ｆ、Ｇ、Ｉ、Ｊ、Ｍ、Ｎは、ハッチング表示されている。
また、同じ列に配置された複数のアーク監視カメラ１の中で、一番大きくアーク放電をとらえたカメラＣ、Ｆ、Ｉ、Ｍからの標定結果は、二点鎖線で示されている。
【００１６】
図２内の中心点は、各々同じ列で一番大きくアークをとらえたカメラ同士の標定結果（二点鎖線）により交差した点であり、アーク発生点となる。
このように、図２においては、変電所２１の平面配置でのアーク発生エリアが分り易く示されている。
【００１７】
機器監視カメラ５は、たとえば、８方向に配置された８台のカメラＣ１〜Ｃ８からなる。各機器監視カメラ５は、旋回カメラからなり、アーク発生で標定できた方向に自動的にプリセットされるとともに、マニュアルによってもアーク発生場所を監視するようになっている。
【００１８】
図３はこの発明の実施の形態１によるＰＣ操作器４の表示部および操作部を示す説明図である。
図３において、変電所２１の平面図は、各カメラおよび標定結果とともに表示される。
フレーム表示３２は、アーク監視カメラ１の標定画像のフレーム数（−３０〜＋３０）を表示する。この場合、アーク監視カメラ１を、すべて同じフレーム数で標定することを目的としている。
【００１９】
ＰＣ操作器４上の各スイッチ３３〜３８のうち、１画面切替スイッチ３３および４画面切替スイッチ３４は、図１内のモニタ８に表示させる画面条件を１画面または４画面に切り替える。
また、処理前のアーク監視カメラ１の出力画像を選択する画像選択スイッチ３５と、画像処理アルゴリズム（後述する）で画像処理して実際のカメラ出力画像と合成した処理後の画像選択スイッチ３６と、合成スイッチ３７と、生画像への切替スイッチ３８とにより、モニタ８の表示画面の状態が選択される。
【００２０】
合成スイッチ３７は、画像に基づくアーク発生場所の標定が困難な条件下（たとえば、霧や夜間など）において、あらかじめ昼間に撮像した被写体の画像と、アーク標定した処理画像とを合成して標定可能にする場合に選択される。
切替スイッチ３８は、表示画像を、画像処理装置２からの入力画像（生画像）に切り替える場合に選択される。
故障点標定結果表示３９は、たとえば、甲母線加圧禁止または標定不能（矛盾）などの故障点標定結果を表示する窓からなる。
【００２１】
図４〜図６はこの発明の実施の形態１による故障点標定の基本動作を示す説明図である。
図４において、アーク監視カメラ１で撮影された画像記録４１は、画像処理装置２により処理した記録としてイメージ的に示されている。
画像記録４１は、通常、１フレームが１／３０［ｓｅｃ］の６０個のフレーム１〜６０によって、破線矢印で示すように繰り返し実行されており、エンドレスに記録されている。
【００２２】
図５において、合成画像４２は、実際のカメラ出力画像と、画像処理が施された信号とが合成され、処理後の画像として、各フレームに対応して連続的に生成される。
合成画像４２は、画像処理装置２において、１フレーム前のデータと比較したときの輝度変化が画像処理されることによって得られる。
ここでは、アーク発生前のフレーム１〜２９、アーク発生時のフレーム３０〜３３、およびアーク発生後のフレーム３３〜６０が、代表的に示されている。
【００２３】
図６においては、アークの重心位置４３のＸＹ座標と、フェレ径４４とが表示されている。
なお、アークの重心位置４３は、以下のように求められる。
まず、画像中に移動物が表れると、移動物の部分の画素に変化が生じる。このとき、変化の生じた画素同士が接触している場合には、同一の移動物として統合し、最終的に統合された変化の領域を「動き部分」として認識する。この「動き部分」は、移動物のシルエットを示しており、このシルエットの重心をアークの重心位置４３として求める。
重心位置４３は、画像処理した後の輝度の重心位置であり、「＋」で示されている。また、フェレ径４４は、前フレームの画像と輝度比較したときに、変化のある領域（外接矩型）を示している。
【００２４】
次に、図２〜図６を参照しながら、図１に示したこの発明の実施の形態１による具体的な動作について説明する。
アーク放電が発生すると、電気設備から出力されたブスプロ信号１０が制御論理部３に入力される。
各画像処理装置２は、ブスプロ信号１０に応答した制御論理部３からの制御信号より、アーク監視カメラ１から入力されていたカメラ画像を、それぞれの画像メモリに２秒間記録する。
【００２５】
このとき、カメラ画像の記録時間は、ブスプロ信号１０の発生タイミングを中心にした前後の約１秒間、すなわち合計２秒間分である。
また、各カメラ画像の記録動作は、同一のブスプロ信号１０により開始しているので、各記録画像の時間軸は一致している。
【００２６】
以下、各画像処理装置２は、画像記録が終了し次第、制御論理部３と関連して画像処理作業を開始する。
このとき、アーク放電箇所は、各画像処理装置２が実行する以下の画像処理アルゴリズム（１）〜（８）により標定される。ここでは、代表的に、１台のアーク監視カメラ１に注目して説明する。
【００２７】
（１）まず、記録画像から、「動き部分」を切り出す。この場合は、アーク放電発生時のアーク光（または、その余熱部分）が切り出される。
（２）次に、切り出された「動き部分」の重心位置４３のＸＹ座標を求める。この座標は、カメラ画像をモニタ表示した場合に、左上隅の画像位置を（０、０）としたモニタ８上の座標になる。
（３）また、同様に、「動き部分」の外接矩形（フェレ径）４４も求める。
（４）以下、２秒間の記録画像中で、継続的に、重心位置４３の座標とフェレ径４４とを求める。
（５）次に、或るフレームの画像から得られたフェレ径４４（ｎ）と、次のフレームの画像から得られたフェレ径４４（ｎ＋１）との位置関係を観測する。
（６）このとき、各フェレ径４４（ｎ）、４４（ｎ＋１）に重心位置４３が含まれている場合に限り、この２枚のフレームは「関連付いた」と定義される。
（７）こうして継続していた「関連付け」がとぎれたときのフレームが、アーク放電のアーク光（または、その余熱）が最後まで続いた部分、すなわち、最も発光量の強かった位置（または、残熱量の大きかった位置）に対応する。
（８）このときの「動き部分」の重心位置４３が、カメラ画像から類推できるアーク放電の発光点の重心位置である、と仮定する。
【００２８】
以上の処理（１）〜（８）は、全てのアーク監視カメラ１に対して実行され、全てのアーク監視カメラ１に関してアーク放電の座標情報が作成される。
処理するフレームは、記録された全６０フレーム中、最少フェレ径となるフレームとして求められる。また、全１４台（図２内のカメラＡ〜Ｎ）のアーク重心位置４３の座標が計算され、この計算結果は、図３内の破線および二点鎖線ように、ＰＣ操作器４の画面上に、アーク発生場所の標定結果とともに表示される。
【００２９】
次に、任意の２台のカメラを選択して、これらの座標情報から、図２に示すような平面図上の座標に変換する処理手順について説明する。
この場合、一例として、図２内のカメラＩおよびカメラＭの組合せにより、座標変換が実行されるものとして説明する。
まず、カメラＩの画像から算出された座標に基づいて、この座標で示された方向に、カメラＩから直線を平面図上に引く。
同様に、カメラＭからも直線を引く。
【００３０】
もし、算出された座標が画面の中央を示していれば、カメラＩから引かれる線は、カメラＭから引かれる直線に対する垂線となる。
この２直線が交わる位置が、予測されるアーク放電箇所である。
以上の標定結果により得られた平面図上の座標情報の表示は、図３のようになる。
【００３１】
図３に示すＰＣ操作器４の画面上において、各２台のカメラペアにより標定できた複数のアーク発生点は、変電所２１の平面図に重ねて同時に表示される。
または、複数のアーク発生点の集中の様子を見ながら、或る一定の範囲にアーク発生点が集中して存在する場合に限り、その中央点を表示してもよい。
また、アーク標定できたカメラの中のＹ座標データから、アークの発生高さを算出して、母線またはラインの故障を区別するとともに、各スイッチ３３〜３８の切替状態に応じて、故障点の標定結果を画面に表示してもよい。
【００３２】
こうして、アーク標定エリアが自動処理により判明した時点で、ＰＣ操作器４を操作して、アーク標定位置から最も近いカメラを選択して標定位置に向け、モニタ８の画面に表示するとともに、ＶＴＲ７に記録することができる。
すなわち、標定できた平面図上のアーク放電位置をＰＣ操作器４およびモニタ８に表示するとともに、アーク発生部分に機器監視カメラ５を旋回させて振り向けることにより、アーク放電直後の画像を取り込んで画面表示するとともに、ＶＴＲ７に記録することができる。
【００３３】
したがって、画像処理を用いて、各カメラ画像中からアーク放電箇所を自動的に抽出して標定することができる。
また、アーク放電による発光部（または、残熱部）を認識して抽出する際に、アーク放電の発生前から発生直後にかけて複数フレーム（たとえば、３０フレーム）の画像を連続的に処理し、連続画像のアーク放電の大きさおよびその重心位置４３を求め、アーク放電の大きさおよび重心位置４３の推移を観測することにより、アーク放電箇所の正確な位置を標定することができる。
【００３４】
また、図２に示したように、変電所２１（電気設備）に複数台のアーク監視カメラ１およびその関連システムを配置し、電気設備内のどの位置で発生したアーク放電であっても２台以上のカメラで撮影できるように各カメラ位置が設定されているので、電気設備内でアーク放電が発生した場合に、各カメラおよび画像処理システムにより標定されたアーク放電位置は、複数台のカメラ画像の組合せによる三角測量によって正確に算出され、この結果、電気設備の平面図上の中で、アーク放電位置を確実且つ正確に特定することができる。
また、アーク放電の発生場所は、複数台のカメラにより立体的に抽出され、ＸＹ座標により特定されるので、標定場所を高精度に標定することができる。
【００３５】
また、上記アーク標定以外にも、故障原因を見つける目的で、アーク発生前からアーク直後の画像をフレーム単位で分析できるように、フレーム数をマニュアル操作することにより、最適画面および最適の複数台のアーク監視カメラ１を同時に監視することができる。
また、霧、雨または雪などの気象条件の違いによって、監視対象が見難い場合には、あらかじめ記録した背景を、アーク標定画面と合成して発生場所を特定することができる。
【００３６】
また、アーク監視カメラ１の画像としては、各スイッチ３５〜３８の選択操作により、記録した処理前の画像と、処理後の画像と、合成画像と、画像処理入力画像（生画像）とを選択することができる。
また、アーク監視カメラ１として、可視光線を除去した近赤外線カメラを用い、電気設備内を近赤外線カメラで撮像することにより、外乱ノイズである太陽光の影響を抑えることができ、アーク監視の信頼性を向上させることができる。
【００３７】
また、アーク放電の発生場所を特定して、ラインスイッチ切替状態に応じて故障点標定区間を明確化することにより、事故原因の究明および故障復帰を迅速に行うことができる。
【００３８】
また、上述したように、アーク放電直後に近傍に広がる発煙の残熱エネルギーを観察することにより、時間的に長期にわたって且つ空間的に広範囲にわたって残熱を視認することができ、各アーク監視カメラ１との間の障害物などによるアーク放電の見落としや、遠方で小さく撮影されることによるアーク放電の見落としなどを軽減することができる。
また、アーク放電後の残熱を検出することにより、１００Ａ〜６３ＫＡの広範囲なアーク放電の電流変化を検出することができる。
なお、上記実施の形態１では、電気設備の活線同士で発生するアーク放電を監視したが、電気設備の他の箇所でのアーク放電を監視してもよい。また、複数の画像処理装置２、ＰＣ操作盤４、ＶＴＲ７およびブスプロ信号１０を用いたが、単一の画像処理装置を用いてもよく、ＰＣ操作盤４と同機能を有する他の操作盤を用いてもよく、ＶＴＲ７およびブスプロ信号１０に代えて他の画像記録装置および制御信号を用いてもよい。
【図面の簡単な説明】
【００３９】
【図１】この発明の実施の形態１を示すブロック構成図である。
【図２】この発明の実施の形態１によるアーク監視カメラおよび機器監視カメラの配置状態を示す説明図である。
【図３】この発明の実施の形態１によるＰＣ操作器の画面を示す説明図である。
【図４】この発明の実施の形態１による故障点標定用の画像処理基本動作における画像フレームを示す説明図である。
【図５】この発明の実施の形態１による故障点標定用の画像処理基本動作における各フレームの合成画像例を示す説明図である。
【図６】この発明の実施の形態１による故障点標定用の画像処理基本動作における重心位置およびフェレ径を示す説明図である。
【符号の説明】
【００４０】
１  アーク監視カメラ、２  画像処理装置、３  制御論理部、４  ＰＣ操作器、５  機器監視カメラ、６  画像切替装置、７  ＶＴＲ、８  モニタ、１０  ブスプロ信号、２１  変電所、３３〜３８  各種スイッチ、４１  画像記録、４２  画像処理後の合成画像、４３  重心位置、４４  フェレ径。
【図１】
2005102392.tif 000003
【図２】
2005102392.tif 000004
【図３】
2005102392.tif 000005
【図４】
2005102392.tif 000006
【図５】
2005102392.tif 000007
【図６】
2005102392.tif 000008